【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
無線周波数エネルギー蓄積（１００）を分析する方法であって、
無線周波数ソース（１１０）を定義する情報（８０）を受信するステップと、
物体（１５０Ａ−Ｎ）を定義する情報（８５）を受信するステップと、
無線周波数ソース（１１０）から物体（１５０Ａ−Ｎ）への無線周波数エネルギーの第１のセットの光線トレースを計算するステップと、
物体（１５０Ａ−Ｎ）から反射された無線周波数エネルギーの第２のセットの光線トレースを計算するステップと、
第１のセットの光線トレースおよび第２のセットの光線トレースから物体（１５０Ａ−Ｎ）に蓄積された無線周波数エネルギー（２１０Ａ−Ｄ）を計算するステップと、
エリアが蓄積されたエネルギーのそれぞれのレベルにしたがって視覚的に区別することができるように、物体（１５０Ａ−Ｎ）に蓄積された無線周波数エネルギーの視覚的表示（９５）を生成するステップと
を含む方法。
【請求項２】
無線周波数ソース（１１０）を定義する情報（８０）が、無線周波数ソース（１１０）からの無線周波数エネルギーに関連する周波数および電力を含む、請求項１に記載の方法。
【請求項３】
無線周波数ソース（１１０）を定義する情報（８０）が、位置情報を含む、請求項１または２に記載の方法。
【請求項４】
無線周波数ソース（１１０）を定義する情報（８０）が、動き情報を含む、請求項１ないし３のいずれか１項に記載の方法。
【請求項５】
物体（１５０Ａ−Ｎ）を定義する情報（８５）が、幾何学的情報を含む、請求項１ないし４のいずれか１項に記載の方法。
【請求項６】
視覚的表示（９５）と対話するためのグラフィカルユーザインターフェースを提供するステップをさらに含む、請求項１ないし５のいずれか１項に記載の方法。
【請求項７】
計算された、物体（１５０Ａ−Ｎ）に蓄積された無線周波数エネルギー（２１０Ａ−Ｄ）と関連するユーザ照会に応答するステップをさらに含む、請求項１ないし６のいずれか１項に記載の方法。
【請求項８】
第２のセットの光線トレースが、指定された数の生成までの反射を含む、請求項１ないし７のいずれか１項に記載の方法。
【請求項９】
物体（１５０Ａ−Ｎ）に蓄積された無線周波数エネルギー（２１０Ａ−Ｄ）を計算するステップが、無線周波数ソース（１１０）と物体（１５０Ａ−Ｎ）の間の相対的な動きをサポートするために、複数の時間に対応する複数のフレームを計算するステップを含む、請求項１ないし８のいずれか１項に記載の方法。
【請求項１０】
コンピュータシステムによって実行されるときに、コンピュータシステムに
無線周波数ソース（１１０）を定義する情報（８０）の受信と、
無線周波数ソース（１１０）に関連する位置情報の受信と、
幾何学的特性および材料特性を含み、物体（１５０Ａ−Ｎ）を定義する情報（８５）の受信と、
無線周波数ソース（１１０）から物体（１５０Ａ−Ｎ）への無線周波数エネルギーの光線トレースの計算と、
指定された数の生成までの反射に関して物体（１５０Ａ−Ｎ）から反射された無線周波数エネルギーの光線トレースの計算と、
光線トレースから物体（１５０Ａ−Ｎ）に蓄積された無線周波数エネルギー（２１０Ａ−Ｄ）の計算と、
エリアが蓄積されたエネルギーのそれぞれのレベルにしたがって視覚的に区別することができるように、物体（１５０Ａ−Ｎ）に蓄積された無線周波数エネルギー（２１０Ａ−Ｄ）の視覚的表示（９５）の生成と
を行わせる、コンピュータ実行可能命令が記憶されたコンピュータ可読記憶媒体。
【手続補正２】
【補正対象書類名】明細書
【補正対象項目名】００５２
【補正方法】変更
【補正の内容】
【００５２】
前述の主題は、例示としてのみ提供され、限定として解釈されるべきではない。図示および記述された例示的実施形態およびアプリケーションに従うことなしに、また添付の特許請求の範囲に記載の本発明の真の趣旨および範囲を逸脱することなしに、様々な修正および変更が本明細書に記載の主題に行われ得る。
また、本発明は以下に記載する態様を含む。
（態様１）
無線周波数エネルギー蓄積を分析する方法であって、
無線周波数ソースを定義する情報を受信するステップと、
物体を定義する情報を受信するステップと、
無線周波数ソースから物体への無線周波数エネルギーの第１のセットの光線トレースを計算するステップと、
物体から反射された無線周波数エネルギーの第２のセットの光線トレースを計算するステップと、
第１のセットの光線トレースおよび第２のセットの光線トレースから物体に蓄積された無線周波数エネルギーを計算するステップと
を含む方法。
（態様２）
無線周波数ソースを定義する情報が、無線周波数ソースからの無線周波数エネルギーに関連する周波数および電力を含む、態様１に記載の方法。
（態様３）
無線周波数ソースを定義する情報が、位置情報を含む、態様１に記載の方法。
（態様４）
無線周波数ソースを定義する情報が、動き情報を含む、態様１に記載の方法。
（態様５）
物体を定義する情報が、幾何学的情報を含む、態様１に記載の方法。
（態様６）
幾何学的情報が、１セットの多角形を含む、態様５に記載の方法。
（態様７）
物体を定義する情報が、物体の材料特性を含む、態様１に記載の方法。
（態様８）
物体に蓄積された無線周波数エネルギーの視覚的表示を生成するステップをさらに含む、態様１に記載の方法。
（態様９）
視覚的表示と対話するためのグラフィカルユーザインターフェースを提供するステップをさらに含む、態様８に記載の方法。
（態様１０）
物体に蓄積され、計算された無線周波数エネルギーと関連するユーザ照会に応答するステップをさらに含む、態様１に記載の方法。
（態様１１）
第２のセットの光線トレースが、指定された数の生成までの反射を含む、態様１に記載の方法。
（態様１２）
物体に蓄積された無線周波数エネルギーを計算するステップが、無線周波数ソースと物体の間の相対的な動きをサポートするために、複数の時間に対応する複数のフレームを計算するステップを含む、態様１に記載の方法。
（態様１３）
コンピュータシステムによって実行されるときに、コンピュータシステムに
無線周波数ソースを定義する情報の受信と、
無線周波数ソースに関連する位置情報の受信と、
幾何学的特性および材料特性を含み、物体を定義する情報の受信と、
無線周波数ソースから物体への無線周波数エネルギーの光線トレースの計算と、
指定された数の生成までの反射に関して物体から反射された無線周波数エネルギーの光線トレースの計算と、
光線トレースから物体に蓄積された無線周波数エネルギーの計算と、
物体に蓄積された無線周波数エネルギーの視覚的表示の生成と
を行わせる、コンピュータ実行可能命令が記憶されたコンピュータ可読記憶媒体。
（態様１４）
無線周波数ソースを定義する情報が、放射パターンを含む、態様１３に記載のコンピュータ可読記憶媒体。
（態様１５）
無線周波数ソースを定義する情報が、動き情報を含む、態様１３に記載のコンピュータ可読記憶媒体。
（態様１６）
コンピュータシステムによって、視覚的表示に関連する情報を照会するためのグラフィカルユーザインターフェースの提供がさらに行われる、態様１３に記載のコンピュータ可読記憶媒体。
（態様１７）
コンピュータシステムによって、視覚的表示を操作するためのグラフィカルユーザインターフェースの提供がさらに行われる、態様１３に記載のコンピュータ可読記憶媒体。
（態様１８）
物体に蓄積された無線周波数エネルギーを計算するステップが、無線周波数ソースと物体の間の相対的な動きをサポートするために、複数の時間に対応する複数のフレームを計算するステップを含む、態様１３に記載のコンピュータ可読記憶媒体。
（態様１９）
処理ユニットと、
処理ユニットに動作可能なように結合されたメモリと、
メモリから処理ユニットで実行するプログラムモジュールであって、処理ユニットによって実行されるときに、コンピュータシステムに
周波数および電力を備える無線周波数ソースを定義する情報の受信と、
無線周波数ソースに関連する位置情報の受信と、
幾何学的特性および材料特性を備える、物体を定義する情報の受信と、
無線周波数ソースから物体への無線周波数エネルギーの光線トレースの計算と、
指定された数の生成までの反射に関して物体から反射された無線周波数エネルギーの光線トレースの計算と、
光線トレースから物体に蓄積された無線周波数エネルギーの計算と、
物体に蓄積された無線周波数エネルギーの視覚的表示の生成、ならびに、
記視覚的表示と対話するためのグラフィカルユーザインターフェースの提供と
を行わせる、プログラムモジュールと
を備える、コンピュータシステム。
（態様２０）
無線周波数ソースを定義する情報が、動き情報を備える、態様１９に記載のコンピュータシステム。